(57)【要約】【課題】本発明は、物品を保持すると共に、壁面等の被吸着面に吸着させて簡易かつ迅速に取り付けることができる物品保持具を提供する。【解決手段】物品保持具Ａは、折曲自在な柔軟性を有するシート状の本体１と、この本体１は、少なくとも基材１１とこの基材１１の一方の面に設けられ被吸着面に吸着する吸着層１２とを備え、この吸着層１２は、合成樹脂組成物を発泡させて少なくとも吸着層１２の表面に多数の気孔を備えて真空吸着力を有しており、物品ｂを保持可能な保持体２とを備えているものである。【選択図】図１
2008173222.tif 000002
【特許請求の範囲】
【請求項１】
折曲自在な柔軟性を有するシート状の本体と、この本体は、少なくとも基材とこの基材の一方の面に設けられ被吸着面に吸着する吸着層とを備え、この吸着層は、合成樹脂組成物を発泡させて少なくとも前記吸着層の表面に多数の気孔を備えて真空吸着力を有しており、物品を保持可能な保持体とを備えていることを特徴とする物品保持具。
【請求項２】
保持体は、基材の一方の面と反対側の他方の面に設けられ、物品を収納する袋体であることを特徴とする請求項１記載の物品保持具。
【請求項３】
保持体は、本体の端部または基材の一方の面と反対側の他方の面に設けられ、物品を保持するフックであることを特徴とする請求項１記載の物品保持具。
【請求項４】
本体の端部を挟み込むように取り付けられた取付部材を有し、保持体は、物品を保持するフックであり、このフックは、前記取付部材に取り付けられていることを特徴とする請求項１記載の物品保持具。
【請求項５】
シート状の本体は、帯状体であることを特徴とする請求項３記載の物品保持具。
【発明の詳細な説明】
【技術分野】
【０００１】
本発明は、物品を保持すると共に、壁面等の被吸着面に吸着させて簡易かつ迅速に取り付けることができる物品保持具に関する。
【背景技術】
【０００２】
従来、例えば、日用品等の小物を入れた物品保持具を壁面等に取り付ける場合、物品保持具に吸着盤を設けて、この吸着盤を壁面に吸着させて取り付けていた（例えば、特許文献１の図２の「タオル掛け」参照）。
【特許文献１】特開平１０―２２５３９７号公報
【発明の開示】
【発明が解決しようとする課題】
【０００３】
しかしながら、物品保持具を取り付ける被吸着面が例えばタイル張りであったり、円柱状のポール等のように表面が曲面形状である場合には、隣接するタイル間の目地の凹みやポール等の曲面により吸着盤の吸着面と被吸着面との間に隙間が生じ易く、吸着盤が吸着できずに物品保持具を取り付けられないという問題があった。
【０００４】
本発明は、上述の問題を解決するためになされたものである。
【課題を解決するための手段】
【０００５】
請求項１に係る発明は、折曲自在な柔軟性を有するシート状の本体と、この本体は、少なくとも基材とこの基材の一方の面に設けられ被吸着面に吸着する吸着層とを備え、この吸着層は、合成樹脂組成物を発泡させて少なくとも前記吸着層の表面に多数の気孔を備えて真空吸着力を有しており、物品を保持可能な保持体とを備えていることを特徴とする物品保持具。
【０００６】
請求項２に係る発明は、請求項１に記載の物品保持具において、保持体は、基材の一方の面と反対側の他方の面に設けられ、物品を収納する袋体であるものである。
【０００７】
請求項３に係る発明は、請求項１に記載の物品保持具において、保持体は、本体の端部または基材の一方の面と反対側の他方の面に設けられ、物品を保持するフックであるものである。
【０００８】
請求項４に係る発明は、請求項１に記載の物品保持具において、本体の端部を挟み込むように取り付けられた取付部材を有し、保持体は、物品を保持するフックであり、このフックは、前記取付部材に取り付けられているものである。
【０００９】
請求項５に係る発明は、請求項３に記載の物品保持具において、シート状の本体は、帯状体であるものである。
【発明の効果】
【００１０】
請求項１に記載の発明によれば、物品保持具は、折曲自在な柔軟性を有するシート状の本体と、この本体は、少なくとも基材とこの基材の一方の面に設けられ被吸着面に吸着する吸着層とを備え、この吸着層は、合成樹脂組成物を発泡させて少なくとも吸着層の表面に多数の気孔を備えて真空吸着力を有しており、物品を保持可能な保持体とを備えているため、被吸着面の一部が凹んでいたり、曲面形状であったりしても、平滑な面を有していれば何処でも吸着させて物品保持具を取り付けることができ、しかも接着剤や粘着剤を介在させないため簡易かつ迅速に着脱することができる。
【００１１】
請求項２に記載の発明によれば、請求項１記載の発明の効果に加え、保持体は、基材の一方の面である吸着層の側の面と反対側の他方の面に設けられ、物品を収納する袋体であるため、物品保持具を被吸着面に取り付けて、物品を袋体の中に収納することができる。
【００１２】
請求項３に記載の発明によれば、請求項１記載の発明の効果に加え、保持体は、本体の端部または基材の一方の面と反対側の他方の面に設けられ、物品を保持するフックであるため、物品保持具を被吸着面に取り付けて、物品をフックに掛けて保持することができる。
【００１３】
請求項４に記載の発明によれば、請求項１記載の発明の効果に加え、本体の端部を挟み込むように取り付けられた取付部材を有し、保持体は、物品を保持するフックであり、このフックは、取付部材に取り付けられているため、物品保持具を被吸着面に取り付けて、物品をフックに掛けて保持することができると共に、取付部材を本体に確実に取り付けることでき、フックを確実に取り付けることができる
【００１４】
請求項５に記載の発明によれば、請求項３記載の発明の効果に加え、シート状の本体は、帯状体であるため、帯状体を被吸着面に巻き付けることができ、物品保持具を被吸着面に確実に取り付けて、該物品保持具が脱落するのを防止することができる。
【発明を実施するための最良の形態】
【００１５】
本発明の実施の形態を、図１〜図８に基づき説明する。
【実施例１】
【００１６】
図１〜図５は本発明の一実施例であり、Ａは物品保持具で、物品保持具Ａは、概略的に、折曲自在な柔軟性を有するシート状の本体１と、物品ｂを保持可能な保持体２とを備えている。また、本体１は、少なくとも基材１１とこの基材１１の一方の面に設けられ被吸着面に吸着する吸着層１２とを備えている。
【００１７】
基材１１（図３参照）は、物品保持具Ａの構体となるものであり、例えば、皮革、綿などの天然繊維やレーヨン、アクリルなどの化学繊維を用いた不織布等が用いられるが、折曲自在で柔軟性を有するものであればよく、これらに限定されない。
【００１８】
吸着層１２（図３参照）は、壁面や天板等の被吸着面に吸着して物品保持具Ａを取り付けるものであり、合成樹脂組成物を発泡させて少なくとも吸着層１２の表面に多数の気孔を備えて真空吸着力を有するように形成される。
【００１９】
合成樹脂組成物は、例えば、ウレタン系の合成樹脂、発泡剤、界面活性剤、助剤、触媒を混合したもの（合成樹脂組成物は、例えば、特許第２８４１０１８号の段落番号［００１０］、［００１１］［表１］記載の滑り止め層の組成物と同様のものである。）であり、この合成樹脂組成物を攪拌して発泡させ、発泡した合成樹脂組成物を刷毛等により基材１１の一方の面に塗布して乾燥させることにより吸着層１２が形成される。なお、合成樹脂組成物は、発泡により少なくとも吸着層１２の表面に多数の気孔が形成されるものであればよく、合成樹脂組成物の各含有成分および発泡方法は、いずれも公知のものを用いることができる。
【００２０】
保持体２は、物品ｂを保持するものであり、例えば、物品ｂを収納する袋体２１であり、図３に示したように、基材１１に縫合したり、接着剤により接着したりして基材１１の一方の面（吸着層１２の形成面）と反対側の他方の面１１ａに設けられている。なお、袋体２１は、物品ｂを出し入れする開口部を有するもので、メッシュ状のものやシート状のもの等が用いられる。また、適宜、ゴムなどの弾性部材を用い、弾力性を持たせて収納された物品ｂを保持したり、透明な材料を用いて袋体２１内の物品ｂを外部から視認できるようにしてもよい。
【００２１】
次に、本発明の物品保持具Ａの使用状態について説明する。物品保持具Ａは被吸着面が平滑な面を有していれば吸着させて取り付けることができ、物品保持具Ａの吸着層１２の表面を被吸着面に当接させて手で基材１１を押圧することで吸着層１２が被吸着面に吸着する。したがって、例えば、略垂直な壁面Ｋ１（図１参照）や円柱状のポールＫ２の周面部（図４参照）に取り付けたり、台Ｋ３の上面部および側面部に跨って折り曲げて（図５（ａ）参照）取り付けたり、あるいは、台Ｋ３’の上面部に一端側を取り付け、他端側を垂らして（図５（ｂ）参照）用いたりしてもよい。また、図５（ａ）に示したように、例えば、被吸着面がタイル張りであって一部に凹んだ部位（目地Ｍなど）があってもタイルＴの平滑な表面部分に吸着層１２が吸着するため、確実に物品保持具Ａを取り付けることができる。
【実施例２】
【００２２】
次に、本発明の他の実施例について図６〜図８に基づき説明する。なお、実施例１と同一部分には同一の符号を付して示している。また、本体１の構成および作製方法は実施例１と同じであるため、詳細な説明は省略する。
【００２３】
実施例２は、保持体２を、物品ｂを保持するフック２２とした例であり、フック２２は、本体１の端部１ａ（図６、図８（ａ）、図８（ｂ）参照）または基材１１の一方の面と反対側の他方の面１１ａ（図７参照）に設けられている。
【００２４】
図６（ａ）は、フック２２を本体１の端部１ａに取り付けた例を示しており、例えば、図６（ｂ）に示したように、本体１の端部１ａを挟み込むように圧着等により取付部材３１が取り付けられ、フック２２は、この取付部材３１に取り付けられている。
【００２５】
また、図７は、フック２２を基材１１の一方の面（吸着層１２の形成面）と反対側の他方の面１１ａに取り付けた例を示しており、取付部材３２が例えば接着剤等により基材１１に接着され、フック２２は、この取付部材３２に取り付けられている。
【００２６】
また、シート状の本体１を帯状体に形成し、フック２２を上述のように、本体１の端部１ａ（図８（ａ）、図８（ｂ）参照）または基材１１の一方の面と反対側の他方の面１１ａ（図示せず。）に設けてもよい。本体１を帯状体に形成することで、例えば、図８（ａ）に示したように、水平なポールＫ４に螺旋状に巻き付けたり、図８（ｂ）に示したように、垂直なポールＫ４’に螺旋状に巻き付けたりすることができ、物品保持具Ａを被吸着面に確実に取り付けて、該物品保持具Ａが脱落するのを防止することができる。
【図面の簡単な説明】
【００２７】
【図１】本発明の物品保持具を示した斜視図である。
【図２】図１の物品保持具に物品を保持した状態の正面図である。
【図３】図２のＸ−Ｘ線で切断した断面図を示した図である。
【図４】図１の物品保持具の他の使用状態を示した図である。
【図５】図１の物品保持具の別の他の使用状態を示した図であり、図５（ａ）は台の上面部および側面部に跨って物品保持具を取り付けた図を、図５（ｂ）は台の上面部に物品保持具の一端側を取り付け、他端側を垂らして用いた図をそれぞれ示している。
【図６】本発明の物品保持具の他の実施の形態を示した斜視図であり、図６（ａ）はフックを本体の端部に設けた図を、図６（ｂ）は図６（ａ）のフック取り付け部分の一部拡大縦断面図をそれぞれ示している。
【図７】図６の変形例を示した斜視図である。
【図８】図６の他の変形例を示した斜視図であり、図８（ａ）は物品保持具を水平なポールに取り付けたときの図を、図８（ｂ）は物品保持具を垂直なポールに取り付けたときの図をそれぞれ示している。
【符号の説明】
【００２８】
Ａ      物品保持具
ｂ      物品
１      本体
１１    基材
１２    吸着層
２      保持体
２１    袋体
２２    フック
【図１】
2008173222.tif 000003
【図２】
2008173222.tif 000004
【図３】
2008173222.tif 000005
【図４】
2008173222.tif 000006
【図５】
2008173222.tif 000007
【図６】
2008173222.tif 000008
【図７】
2008173222.tif 000009
【図８】
2008173222.tif 000010